(57)【要約】【課題】本発明は、使用する際のコーキングガンの長さを縮小し、スペースが小さい場所でも素早く操作を行うことが可能なコーキングガンを提供する。【解決手段】銃本体と、コーキングカートリッジホルダーと、コーキング剤押し出し装置とによって構成する。銃本体の下側は、前方と下方に延伸して支持部と取っ手部を形成する。前記銃本体内の間隔には、三つのガイド片が設けられる。銃本体の上端後側にはガイド車輪が枢設される。コーキングカートリッジホルダーには、断面が弧状を呈する長い可撓性板の押し部材が設けられ、押し部材の一端はコーキングカートリッジホルダー内の押し盤と連結され、他端は、銃本体内の三つのガイド片の上段の弧状ガイド孔に穿設されるとともに、推進部材と位置限定部材の上段の弧状穿孔に穿設され、さらにガイド車輪に巻きつけられた後、折り返されて前方に延伸し、ガイド溝からコーキングカートリッジホルダーの上側に出て引き部材に連結される。【選択図】図１
2011137362.tif 000002
【特許請求の範囲】
【請求項１】
銃本体と、コーキングカートリッジホルダーと、コーキング剤押し出し装置とによって構成するコーキングガンであって、
銃本体の上端後側の内部には、押し部材を巻きつけるガイド車輪が枢設され、銃本体の下端は、前方と下方に延伸して取っ手部を形成し、取っ手部には引き金が枢設され、
コーキングカートリッジホルダーは、中空のフレームであるとともに、銃本体の前端に連結され、
コーキング剤押し出し装置は、銃本体内に設けられ、コーキング剤押し出し装置は、押し部材が穿設されるとともに引き金によって駆動される、推進部材と位置限定部材を備え、
前記押し部材は可撓性板であり、前記押し部材の一端はコーキングカートリッジホルダー内の押し盤と連結され、前記押し部材の他端は、推進部材と位置限定部材に穿設され、さらにガイド車輪に巻きつけられた後、折り返されて前方に延伸し、コーキングカートリッジホルダーの上側にスライド可能に穿設されることを特徴とする、コーキングガン。
【請求項２】
前記銃本体は、対向する二つの半円状の本体ケースを組み合わせてなり、前記銃本体の上部には、押し部材を穿設するガイド溝が設けられ、銃本体内の間隔には、押し部材を穿設するための三つのガイド片が設けられ、三つのガイド片の間には、推進部材と、位置限定部材とがそれぞれに設けられ、
各ガイド片の上段には弧状ガイド孔が設けられ、推進部材と位置限定部材の上段には、弧状穿孔が設けられ、
前記銃本体の下端は前方に延伸して支持部と取っ手部を形成し、支持部内には引き板が設けられ、引き板の前端には引き金が枢設され、引き板の後端には、位置限定部材の下端が当接し、引き板には引き孔が設けられ、引き孔には推進部材が挿しこまれて相互に連動し、
前記押し部材は、断面が弧状を呈する長い可撓性板であり、押し部材と同じく断面が弧状を呈する上部挟み片と下部挟み片は、押し部材を挟むとともに前側の二つのガイド片及び推進部材に穿設され、
前記上部挟み片の上表面と下部挟み片の下表面には、位置戻し部が凸設され、前記前のガイド片と推進部材の間には戻しバネが設けられ、前記位置限定部材の下段は、後ろのガイド片の下端の固定部材に当接し、
中間のガイド片の後側にはバネが設けられ、そのバネが位置限定部材を押すことによって、位置限定部材の上段は後方に傾斜し、
位置限定部材の弧状穿孔の角度が傾斜することにより、穿設された押し部材が前に押し出された後に緩んで元の位置に戻るのを防ぎ、
押し部材の後段は、銃本体の後端のガイド車輪に巻き付けられた後、折り返されてコーキングカートリッジホルダーの上側に穿設された後、底側に二つのスライド溝が設けられた引き部材に連結され、
前記コーキングカートリッジホルダーは、円弧状の壁板と、その前端に設けられたＣ型前フレームとを連結してなるとともに、対向する開口を備えており、コーキングカートリッジホルダーの後端にさらに設けられた円フレームは、円フレームに設けられた連結孔によって銃本体の前壁に連結され、円弧状の壁板の上側には、両側にガイド片が凸設されたホルダー溝が設けられ、ホルダー溝のガイド片には、引き部材の底側の二つのスライド溝が嵌めこまれることを特徴とする、請求項１に記載のコーキングガン。
【発明の詳細な説明】
【技術分野】
【０００１】
本発明は、押し部材が銃本体の外側に凸出しスペースが長くなりすぎて施工が不便になるのを防ぐことができるコーキングガンに関する。
【背景技術】
【０００２】
２００７年５月１１日に認可された台湾特許第Ｍ３１１４８６号の「コーキングガンの押し出し緩衝構造」で開示されているように、その図１に示すような従来の技術であろうと、或いはその図２に示すような新しい技術であろうと、コーキングガンは、支持部と、押し部と、取っ手部とによって構成する。支持部には、コーキングカートリッジが取り付けられる前フレームが設けられ、支持部の前フレームの一側には押し部が設けられ、押し部の後フレームの内部には、押し片とバネと押し棒が設けられ、押し棒の一端は、前記支持部の前フレーム内に穿設されるとともに、押し盤が設けられ、押し棒の他端は、押し部の後フレームに穿設され、押し部の押し片、押し部のバネは押し部の外側に出る。取っ手部は、押し部の後フレーム下方に設けられ、引き金を引くことにより、押し棒がコーキングカートリッジを圧縮してコーキング剤を押しだす。
【０００３】
上述の構造において、前記の押し盤２２１に連結された押し棒２２の後端は、伸ばされて押し部４０の後端から凸出しかなりの長さになるため、かなりの材積を占めることになり、特に、新しいコーキングカートリッジに交換するとき、押し棒２２全体を押し部４０の後面まで戻すと、銃全体の長さは、ほぼ二つのコーキングカートリッジの長さになるため、非常に大きなスペースが必要になり、小さいスペースで施工する際に操作が不便であり、さらには使用不可能な場合もある。これが、従来技術の一つ目の欠点である。
【０００４】
また、長い材積空間を必要とするコーキングガンは、施工業者が携帯するのに不便であり、また収納するのにも不便である。これが、従来技術の二つ目の欠点である。
【先行技術文献】
【特許文献】
【０００５】
【特許文献１】台湾特許第Ｍ３１１４８６号明細書
【発明の概要】
【発明が解決しようとする課題】
【０００６】
そこで、本発明は、使用する際のコーキングガンの長さを縮小し、スペースが小さい場所でも素早く操作を行うことが可能なコーキングガンを提供することを目的とする。
【０００７】
また、本発明は、コーキングガンが占める材積を大幅に短縮することで、収納と携帯に便利な多数の効果をもつコーキングガンを提供することを目的とする。
【課題を解決するための手段】
【０００８】
上述の目的を達成するために、本発明によるコーキングガンは、銃本体と、コーキングカートリッジホルダーと、コーキング剤押し出し装置とによって構成する。銃本体は、対向する二つの半円状の本体ケースを組み合わせてなる。銃本体の下側は、前方と下方に延伸して支持部と取っ手部を形成し、支持部と取っ手部には、引き板と引き金が枢設され、前記引き板の後段には引き孔が設けられる。前記銃本体内の間隔には、三つのガイド片が設けられる。銃本体の上端後側にはガイド車輪が枢設され、銃本体の上端には、ガイド車輪に巻きつけられる押し部材を穿設するガイド溝が設けられる。コーキングカートリッジホルダーは、銃本体の前端に連結されるとともに、コーキングカートリッジが収容される。コーキングカートリッジホルダーには、断面が弧状を呈する長い可撓性板の押し部材が設けられ、押し部材の一端はコーキングカートリッジホルダー内の押し盤と連結され、他端は、銃本体内の三つのガイド片の上段の弧状ガイド孔に穿設されるとともに、推進部材と位置限定部材の上段の弧状穿孔に穿設され、さらにガイド車輪に巻きつけられた後、折り返されて前方に延伸し、ガイド溝からコーキングカートリッジホルダーの上側に出て引き部材に連結される。引き部材の底側の二つのスライド溝は、コーキングカートリッジホルダーの二つのガイド片にスライド可能に設けられる。前記位置限定部材は、引き板の末端と接触し、推進部材の下端は、引き板の後段の引き孔内に差し込まれて相互に連動する。
【図面の簡単な説明】
【０００９】
【図１】本発明を示した分解斜視図である。
【図２】本発明の引き金を放した後の構造を示した断面図である。
【図３】本発明を組み立てる前の状態を示した斜視図である。
【図４】本発明の組み立てた後の状態を示した斜視図である。
【図５】本発明のコーキング剤を押しだす操作を示した説明図である。
【図６】本発明の押し部材を後方に引っ張って戻す操作を示した説明図である。
【発明を実施するための形態】
【００１０】
図１と図２に示すように、本発明のコーキングガンは、銃本体１０と、銃本体１０内に設けられるコーキング剤押し出し装置２０と、引き金３０と、銃本体１０の前端に連結されるコーキングカートリッジホルダー４０とによって構成する。
【００１１】
銃本体１０は、対向する二つの半円状の本体ケース１１を組み合わせてなる。銃本体１０内の間隔には、三つのガイド片１３が設けられる。各ガイド片１３の上段には、弧状ガイド孔１３１がそれぞれ対向するように貫設される。、銃本体１０の上端後側内部にはガイド車輪１５が枢設され、銃本体１０の上端には、ガイド車輪１５に巻きつけられる押し部材２１を穿設するガイド溝１６が設けられる。銃本体１０の下端は、前方と下方に延伸して支持部１１１と取っ手部１１２を形成し、二つの本体ケース１１には、複数の連結孔柱１１３が対向するように凸設され、二つの本体ケース１１の複数の連結孔柱１１３はねじ１１４で螺合される。
【００１２】
コーキング剤押し出し装置２０は、断面が弧状を呈する可撓性板である押し部材２１を備え、押し部材２１は各ガイド片１３の弧状ガイド孔１３１に穿設される。押し部材２１が進入するコーキングカートリッジホルダー４０の前端には押し盤２１１が連結される。押し部材２１と同じく断面が弧状を呈する上部挟み片２２と下部挟み片２３は、押し部材２１を挟むとともに、前側の二つのガイド片１３の各弧状ガイド孔１３１と、推進部材２４の上段の弧状穿孔２４１内に穿設される。上部挟み片２２の上表面と、下部挟み片２３の下表面には、それぞれ位置戻し部２２１、２３１が凸設される。前側のガイド片１３の後側には、推進部材２４に当接して推進部材２４を後方へ押す戻しバネ２５が設けられる。押し部材２１は、後側の二つのガイド片１３の間で、位置限定部材２６の上段の弧状穿孔２６１に穿設され、位置限定部材２６の下段は、後側のガイド片１３の下端の固定部材１４１に当接し、中間のガイド片１３の後側にはバネ２７が設けられ、バネ２７によって位置限定部材２６の上段は押されて位置限定部材２６は後方へ傾斜する。そして、その弧状穿孔２６１の角度が傾斜することにより、穿設された押し部材２１が前に押し出された後に緩んで元の位置に戻るのを防ぐことができる。また、押し部材２１の後段は、銃本体１０の後端のガイド車輪１５に巻き付けられた後、折り返されてコーキングカートリッジホルダー４０の上側に穿設された後、底側に二つのスライド溝２８１が設けられた引き部材２８に連結される。
【００１３】
引き金３０の上段は、取っ手部１１２の上段内部に枢設され、引き金３０の上端は、取っ手部１１２内の支持部１１１の下側に位置する引き板３１の前端と、枢設部材３２によって枢設される。引き板３１の後端は位置限定部材２６の下端に当接し、引き板３１の後段には引き孔３１１が設けられ、引き孔３１１には推進部材２４の下端が差し込まれて、相互に連動する。
【００１４】
コーキングカートリッジホルダー４０は、円弧状の壁板と、その前端に設けられたＣ型前フレーム４１とを連結してなるとともに、対向する開口を備えている。また、コーキングカートリッジホルダー４０の後端に設けられた円フレーム４２は、円フレーム４２に設けられた連結孔４２１によって銃本体１０の前壁に連結される。円弧状の壁板の上側には、両側にガイド片４３１が凸設されたホルダー溝４３が設けられ、ホルダー溝４３のガイド片４３１には、引き部材２８の底側の二つのスライド溝２８１が嵌めこまれる。
【００１５】
図３に示すように、押し部材２１の末端が、コーキングカートリッジホルダー４０の上側に連結された引き部材２８に穿設され、引き部材２８の底側の二つのスライド溝２８１がコーキングカートリッジホルダー４０の上壁の二つのガイド片４３１にスライド可能に組み合わされた後、さらに、二つの本体ケース１１が相互に連結された後にねじ１１４で螺合されると、図４に示すようなコーキングガンが完成する。そして、コーキングカートリッジ５０をコーキングカートリッジホルダー４０内にセットすると、コーキング剤を押しだす操作を行うことができる。
【００１６】
図５に示すように、取っ手部１１２内に枢設された引き金３０を引くと、それと同時に引き板３１が引っ張られて前方にスライドし、その後段の引き孔３１１に連結された推進部材２４が前方に引っ張られて傾斜状を呈した時、図の部分拡大図に示すように、推進部材２４の上段の傾いた弧状穿孔２４１の偏角によって上下から圧力をかけられた上部挟み片２２、下部挟み片２３が押し部材２１を挟みこみ、押し部材２１を図の矢印が示すように前に押し出す。また、それと同時に、後側の二つのガイド片１３の間では、バネ２７によって、固定部材１４１の上側に当接した位置限定部材２６が後方に傾斜し、その弧状穿孔２６１の傾いた偏角により、穿設された押し部材２１が、押し出し操作の過程で緩んで元の位置に戻ろうとするのを防ぐ作用が生じる。
【００１７】
図２に示すように、押し出し操作をした後に引き金３０を放すと、戻しバネ２５によって推進部材２４は後方に押され、さらに、その弧状穿孔２４１に引っかかった位置戻し部２２１、２３１によって上部挟み片２２、下部挟み片２３は後方へ戻される。この時、引き金３０をもう一度引くことで、コーキング剤の押し出しを再び行うことができる。そして、押し部材２１の前端に連結された押し盤２１１が最前端まで押されると、すなわちコーキング剤を使いきったとき、引き金３０を外に引っ張り、引き板３１を後退させると、引き板３１の後端の傾斜した位置限定部材２６の下端がまっすぐになり、押し部材２１は位置限定部材２６の上段の弧状穿孔２６１から解放され、その後、図６に示すように、引き部材２８を引くことにより押し部材２１を後ろに戻すことができ、コーキングカートリッジを交換できるようになる。
【００１８】
図２に示すように、本発明では、弧状断面の押し部材２１を、上部挟み片２２と下部挟み片２３で挟んで押し出すことにより、適度な強度で、コーキング剤を前に押し出すことができる。また、押し部材２１を、銃本体１０の後端のガイド車輪１５に巻き付けた後、折り返してコーキングカートリッジホルダー４０の上側に穿設する構造により、銃本体１０の後端を長く延ばしすぎて材積が増えるのを防ぎ、小さなスペースで素早く施工を行うことができるとともに、収納や携帯に便利であり、多くの使用進歩性を達成することができる。
【符号の説明】
【００１９】
１０      銃本体      
１１      本体ケース    
１１１    支持部    
１１２    取っ手部
１１３    連結孔柱      
１１４    ねじ    
１３、４３１    ガイド片
１３１    弧状ガイド孔    
１４１    固定部材      
１５      ガイド車輪        
１６      ガイド溝
２０      コーキング剤押し出し装置      
２１      押し部材      
２１１    押し盤      
２２      上部挟み片
２２１、２３１    位置戻し部        
２３      下部挟み片    
２４      推進部材
２４１、２６１    弧状穿孔    
２５      戻しバネ    
２６      位置限定部材
２７      バネ          
２８      引き部材        
２８１    スライド溝
３０      引き金      
３１      引き板      
３１１    引き孔    
２        枢設部材
４０      コーキングカートリッジホルダー      
４１      Ｃ型前フレーム      
４２      円フレーム
４２１    連結孔            
４３      ホルダー溝            
５０      コーキングカートリッジ
【図１】
2011137362.tif 000003
【図２】
2011137362.tif 000004
【図３】
2011137362.tif 000005
【図４】
2011137362.tif 000006
【図５】
2011137362.tif 000007
【図６】
2011137362.tif 000008